(57)【要約】【課題】  従来手法を用いることにより、個々の周辺機器についてのセキュリティロックを施すことも可能である。しかしながら、従来の機構をそのまま用いると、それぞれの周辺機器毎に作業を行わなければならず非常に手間の掛かるものとなる。  り簡便な方法により周辺機器の含めた電子機器セキュリティを確保することが可能な機構を備えた電子機器を提供することを目的とする。【解決手段】  ケーブルカバーに周辺機器のケーブルをまとめてロックする機構を設けたので複数の周辺機器をまとめてセキュリティロックを施すことが可能となる。【選択図】  図４
2005182454.tif 000002
【特許請求の範囲】
【請求項１】
周辺機器用のコネクタ及びセキュリティロック用穴を有する電子機器本体と、
ケーブルカバー本体と、
前記ケーブルカバー本体に開閉可能に取り付けられたケーブルカバー側部と、
前記ケーブルカバー本体に設けられ前記ケーブルカバー側部の開放状態で前記周辺機器のケーブルを通すことのできるケーブル取付用穴と、
前記電子機器本体に前記ケーブルカバーを取り付け、前記ケーブルカバー側部が閉じた際に、前記セキュリティロック用穴と同じ位置に配置したケーブルカバー本体に設けられた第二のセキュリティロック用穴と
を具備したことを特徴とする電子機器。
【請求項２】
周辺機器用のコネクタ及びセキュリティロック用穴を有する電子機器本体と、
ケーブルカバー本体と、
前記ケーブルカバー本体に開閉可能に取り付けられたケーブルカバー側部と、
前記ケーブルカバー本体に設けられ前記ケーブルカバー側部の開放状態で前記周辺機器のケーブルを通すことのできるケーブル取付用穴と、
前記電子機器本体に前記ケーブルカバーを取り付け、前記ケーブルカバー側部が閉じた際に、前記セキュリティロック用穴と同じ位置に配置したケーブルカバー本体に設けられた第二のセキュリティロック用穴と、
前記電子機器本体とケーブルカバー本体とを開閉可能に接続する接続機構と
を具備したことを特徴とする電子機器。
【請求項３】
前記電子機器本体に前記電子機器内部の熱を放出するための通風孔を設け、
更に、ケーブルカバーに、前記電子機器本体に前記ケーブルカバーを取り付けた際に、前記電子機器本体の通風孔と略同一位置に配置した通風孔と
を具備したことを特徴とする請求項１乃至２いずれか記載の電子機器。
【発明の詳細な説明】
【技術分野】
【０００１】
本発明は、電子機器にかかるセキュリティ機構に関する。
【背景技術】
【０００２】
パーソナルコンピュータ等の電子機器においては、電子機器に内蔵されたデータを保護すると言ったソフトウェア的なセキュリティ対策と、電子機器そのものを盗難から守ると言ったハードウェア的なセキュリティ対策がある。
【０００３】
ハードウェア的なセキュリティ対策の一つとして、電子機器にセキュリティロック用の穴を設け、ここに施錠可能なワイヤーを取り付け、机等に取り付ける方法が取られている。
【０００４】
一方、電子機器に用意されたコネクタ部には、各種の周辺機器を取り付けることができる。これら周辺機器に対するセキュリティロック機構は、各コネクタ毎に行うものである。この種の例として、特許文献１に挙げる手法がある。
【特許文献１】特開２００１−２０９４６０
【発明の開示】
【発明が解決しようとする課題】
【０００５】
上記特許文献１に記載された手法を用いることにより、個々の周辺機器についてのセキュリティロックを施すことも可能である。しかしながら、本文献に記載された機構をそのまま用いると、それぞれの周辺機器毎に作業を行わなければならず非常に手間の掛かるものとなる。
【０００６】
本発明は、より簡便な方法により周辺機器の含めた電子機器セキュリティを確保することが可能な機構を備えた電子機器を提供することを目的とする。
【課題を解決するための手段】
【０００７】
そこで、本発明の電子機器は、周辺機器用のコネクタ及びセキュリティロック用穴を有する電子機器本体と、ケーブルカバー本体と、前記ケーブルカバー本体に開閉可能に取り付けられたケーブルカバー側部と、前記ケーブルカバー本体に設けられ前記ケーブルカバー側部の開放状態で前記周辺機器のケーブルを通すことのできるケーブル取付用穴と、前記電子機器本体に前記ケーブルカバーを取り付け、前記ケーブルカバー側部が閉じた際に、前記セキュリティロック用穴と同じ位置に配置したケーブルカバー本体に設けられた第二のセキュリティロック用穴とを具備したことを特徴とする。
【０００８】
更に、本発明の別の電子機器は、周辺機器用のコネクタ及びセキュリティロック用穴を有する電子機器本体と、ケーブルカバー本体と、前記ケーブルカバー本体に開閉可能に取り付けられたケーブルカバー側部と、前記ケーブルカバー本体に設けられ前記ケーブルカバー側部の開放状態で前記周辺機器のケーブルを通すことのできるケーブル取付用穴と、前記電子機器本体に前記ケーブルカバーを取り付け、前記ケーブルカバー側部が閉じた際に、前記セキュリティロック用穴と同じ位置に配置したケーブルカバー本体に設けられた第二のセキュリティロック用穴と、前記電子機器本体とケーブルカバー本体とを開閉可能に接続する接続機構とを具備したことを特徴とする。
【０００９】
このような構成を取ることにより、複数の周辺機器をまとめてセキュリティロックを施すことが可能となる。
【発明の効果】
【００１０】
複数の周辺機器をまとめてセキュリティロックを施すことが可能となる。
【発明を実施するための最良の形態】
【００１１】
以下、図面を参照して本発明の実施例を説明する。
【実施例１】
【００１２】
図１乃至図５を用いて実施例１について説明する。
【００１３】
図１は、電子機器本体を背面から見た図である。電気機器１０の背面には、各種周辺機器等を接続するためのコネクタ類が設けられている。１１は、電源ジャックでＡＣアダプタを接続する。１２は、マウスコネクタで、マウスを接続する。１３は、キーボードコネクタで、キーボードを接続する。１４は、ＬＡＮコネクタで、ネットワークケーブルを接続する。１５は、アナログＲＧＢコネクタで、アナログＲＧＢディスプレイを接続する。１６は、デジタルＲＧＢコネクタで、デジタルディスプレイを接続する。１７は、ＬＩＮＥ−ＯＵＴ端子で、ステレオミニジャックタイプのスピーカを接続する。１８は、ＵＳＢコネクタで、ＵＳＢ対応機器を接続する。１９は、マイク端子で、モノラルミニジャックタイプのマイクを接続する。２０は、シリアルコネクタで、外付けモデム等を接続する。２１は、通風孔で、電子機器１０本体内部で発生する熱を放出するために設けられている。２２は、セキュリティロックスロットで、盗難防止用チェーンロック等を取り付ける。２３は、ケーブルカバー取付穴で、後述するケーブルカバーを取り付ける。
【００１４】
図２及び図３は、電子機器に取り付けるケーブルカバーを示す図である。図２（ａ）は、ケーブルカバー３０が閉じた状態を示す図である。また、図２（ｂ）は、ケーブルカバー３０を開いた状態を示す図である。図３は、ケーブルカバー３０を背面から見た図である。
【００１５】
ここでは、ケーブルカバー３０は、電子機器１０とは分離された単体として構成されている。３１は、ケーブルカバー本体部。３２は、ケーブルカバー側部。３３は、セキュリティロック用穴。３４は、ケーブル取付穴。
【００１６】
ケーブルカバー本体部３１の上方部には図示しない接続機構を用いて、ケーブルカバー側部３２が開閉可能に取り付けられている。ケーブルカバー側部３２のケーブルカバー本体部３１と接続する他端には、セキュリティロック用穴が設けられている部位が位置している。
【００１７】
また、ケーブル取付穴３４は、周辺機器のケーブルを通す程度の大きさとなっている。ただし、複数のケーブルを束ねて通すような大きさとしても良く、その際には、取付穴からケーブルに接続する周辺機器のコネクタが通らない程度の大きさとする。ケーブル取付穴３４の一部には、切り欠けてあり、ケーブルカバー側部３２を開放した状態で、ケーブルをケーブル取付穴３４に配置することができる。ケーブルをケーブル取付穴３４に通した状態で、ケーブルカバー側部３２を閉じることで、ケーブルを取り外せないようになる。
【００１８】
図４、図５は、電子機器１０にケーブルカバー３０を取り付けた状態を示す図である。図４は、ケーブルカバー側部３２を開いた状態を示しており、図５は、ケーブルカバー側部３２を閉じた状態を示す。
【００１９】
ケーブルカバー３０を電子機器１０に取り付ける際には、図示しないケーブルカバー３０の爪部３箇所を電子機器１０のケーブルカーバー取付穴に勘合させる。ケーブルカバー３０が電子機器１０に取り付けられた状態で、ケーブルカバー３０のセキュリティロック用穴３３と、電子機器１０のセキュリティロックスロット２２とが同じ位置となる。
【００２０】
利用者は、電子機器１０背面に必要な周辺機器のケーブルを接続し、その後にケーブルカバー３０を取り付ける。ケーブルカバー側部３２を開いた状態でケーブルカバー３０の取付穴３４にケーブルを通した（図４）後、ケーブルカバー側部３２を閉じる（図５）。ケーブルカバーを閉じた状態で、電子機器１０のセキュリティロックスロット２２にケーブルカバー３０のセキュリティロック穴３３を介して盗難防止用チェーンロックが取り付けられることになる。
【００２１】
このようにすることで、周辺機器のケーブル類も一度にセキュリティロックすることが可能となる。
【実施例２】
【００２２】
以下、図６を参照して実施例２を説明する。図６は、電子機器とケーブルカバーが一体化した例を示す図である。
【００２３】
実施例１では、ケーブルカバー３０を電子機器１０本体とは、別の部材で構成した例を示した。実施例２では、ケーブルカバー３０を電子機器１０本体背面部に接続機構３６を介して取り付けたものである。ケーブルカバー３０自体及び電子機器１０の構成自体は特に変更が無いので説明を省略する。このようにすることで、紛失しまいがちなケーブルカバーを確実に取り付けることが可能となる。
【００２４】
上記実施例において、電子機器１０本体背面に通風孔が設けられている場合には、ケーブルカバー３０を取り付けることにより本体内部で発生した熱を外部に放出しずらくなるので、図７に示すようにケーブルカバー３０にも放熱用の通風孔３７を設けることで、放熱効率が良くなる。
【図面の簡単な説明】
【００２５】
【図１】図１は、電子機器本体を背面から見た図。
【図２】電子機器に取り付けるケーブルカバーを示す図
【図３】電子機器に取り付けるケーブルカバーを示す図
【図４】電子機器にケーブルカバーを取り付けた状態を示す図
【図５】電子機器にケーブルカバーを取り付けた状態を示す図
【図６】電子機器とケーブルカバーが一体化した例を示す図
【図７】ケーブルカバーに通風孔を設けた例を示す図
【符号の説明】
【００２６】
１０  電子機器
１１  電源ジャック
１２  マウスコネクタ
１３  キーボードコネクタ
１４  ＬＡＮコネクタ
１５  アナログＲＧＢコネクタ
１６  デジタルＲＧＢコネクタ
１７  ＬＩＮＥ−ＯＵＴ端子
１８  ＵＳＢコネクタ
１９  マイク端子
２０  シリアルコネクタ
２１  通風孔
２２  セキュリティスロット
２３  ケーブルカバー取付穴
３０  ケーブルカバー
３１  ケーブルカバー本体部
３２  ケーブルカバー側部
３３  セキュリティロック穴
３４  ケーブル取付穴
３５  ケーブル
３６  接続機構
３７  通風孔
【図１】
2005182454.tif 000003
【図２】
2005182454.tif 000004
【図３】
2005182454.tif 000005
【図４】
2005182454.tif 000006
【図５】
2005182454.tif 000007
【図６】
2005182454.tif 000008
【図７】
2005182454.tif 000009